(57)【要約】【課題】  複数収納通路タイプの硬貨収納体を使用する場合でも、硬貨収納体を別の硬貨収納体に交換することなく収納通路の変更をタイムリーに行うことができる硬貨収納体用スペーサを提供する。【解決手段】  スペーサＳ１を用いて収納体３０の５００円硬貨用収納通路３１を１００円硬貨を収納可能な形状に変化させるときには、硬貨処理装置から収納体３０を取り外した後、スペーサＳ１を５００円硬貨用収納通路３１の上端開口から下向きに挿入して取り付け、そして、スペーサ取付後の収納体３０を硬貨処理装置に取り付ける。【選択図】  図５
2005202871.tif 000002
【特許請求の範囲】
【請求項１】
指定硬貨を積み重ねて収納可能な単一または複数の収納通路を有し硬貨処理装置への着脱を可能とした硬貨収納体の収納通路内に挿入して使用されるスペーサであって、該スペーサは硬貨収納体の収納通路内に挿入された状態で収納通路の内形を指定硬貨よりも径が小さな異種硬貨を積み重ねて収納可能な形状に変化し得る、
ことを特徴とする硬貨収納体用スペーサ。
【請求項２】
前記スペーサは、硬貨収納体の収納通路内に挿入したときに収納通路内壁に設けられた被係合部に着脱可能な係合部を備える、
ことを特徴とする請求項１に記載の硬貨収納体用スペーサ。
【請求項３】
前記硬貨収納体の収納通路は断面円形を成し、前記スペーサは収納通路内面に沿う外面曲率を備えた断面Ｃ形を成していて、
前記係合部はスペーサ外面に設けられたＬ字形フックから成り、前記被係合部はＬ字形フックを挿入し掛合可能な長穴から成る、
ことを特徴とする請求項１または２に記載の硬貨収納体用スペーサ。
【請求項４】
指定硬貨を積み重ねて収納可能な単一または複数の収納通路を有し硬貨処理装置への着脱を可能とした硬貨収納体であって、該硬貨収納体の収納通路は収納通路の内形を指定硬貨よりも径が小さな異種硬貨を積み重ねて収納可能な形状に変化し得るスペーサの挿入を許容し、且つ、収納通路内に挿入されたスペーサに設けられた係合部に着脱自在な被係合部を収納通路内壁に備える、
ことを特徴とする硬貨収納体。
【請求項５】
前記硬貨収納体の収納通路は断面円形を成し、前記スペーサは収納通路内面に沿う外面曲率を備えた断面Ｃ形を成していて、
前記係合部はスペーサ外面に設けられたＬ字形フックから成り、前記被係合部はＬ字形フックを挿入し掛合可能な長穴から成る、
ことを特徴とする請求項４に記載の硬貨収納体。
【請求項６】
指定硬貨を積み重ねて収納可能な単一または複数の収納通路を有する硬貨収納体を着脱自在に備えた硬貨処理装置であって、前記硬貨収納体の収納通路は収納通路の内形を指定硬貨よりも径が小さな異種硬貨を積み重ねて収納可能な形状に変化し得るスペーサの挿入を許容し、且つ、収納通路内に挿入されたスペーサに設けられた係合部に着脱自在な被係合部を収納通路内壁に備える、
ことを特徴とする硬貨処理装置。
【請求項７】
前記硬貨収納体の収納通路は断面円形を成し、前記スペーサは収納通路内面に沿う外面曲率を備えた断面Ｃ形を成していて、
前記係合部はスペーサ外面に設けられたＬ字形フックから成り、前記被係合部はＬ字形フックを挿入し掛合可能な長穴から成る、
ことを特徴とする請求項６に記載の硬貨処理装置。
【発明の詳細な説明】
【技術分野】
【０００１】
本発明は、硬貨処理装置への着脱を可能とした硬貨収納体の収納通路内に挿入して使用されるスペーサと、該スペーサの着脱を可能とした硬貨収納体と、該硬貨収納体を着脱自在に備えた硬貨処理装置に関する。
【背景技術】
【０００２】
硬貨作動機器、例えば自動販売機内には、商品購入に際して投入された硬貨の正偽及び種類を識別する機能と、正貨であるときはこれを種類別に分配して種類毎に収納し、且つ、偽貨であるときにはこれを返却口に戻す機能と、釣銭発生時に収納硬貨から釣銭に対応した硬貨を払い出して返却口に送出する機能とを有する硬貨処理装置が設けられている。
【０００３】
前記硬貨収納手段には、指定硬貨を積み重ねて収納可能な単一の収納通路を有する硬貨収納体または複数の収納通路を有する硬貨収納体の何れかが用いられている。前者の硬貨収納体は硬貨の種類別、具体的には５００円硬貨，１００円硬貨，５０円硬貨，１０円硬貨の別に用意されたものであり、硬貨処理装置には個別に取り付けられ、取り外しも個別に行われる。後者の硬貨収納体は複数の収納通路が硬貨の種類別、具体的には５００円硬貨，１００円硬貨，５０円硬貨，１０円硬貨の別に複数並設されたものであり、硬貨処理装置には一度で取り付けられ、取り外しも一度で行われる。
【特許文献１】特開平５−７３７５８号公報
【発明の開示】
【発明が解決しようとする課題】
【０００４】
先に述べた単一収納通路タイプの硬貨収納体は収納通路単位での着脱が可能であるため、収納通路変更の要求があった場合には既に取り付けられている硬貨収納体を別種類の硬貨収納体に交換すること、例えば１００円硬貨用硬貨収納体を１０円硬貨用硬貨収納体に交換することができる。
【０００５】
しかし、単一収納通路タイプの硬貨収納体では、所望の硬貨収納体を個別に硬貨処理装置に取り付けなければならないため取付作業に時間を要する不具合があると共に全ての種類の硬貨収納体を十分量備蓄しておく必要があるためその在庫管理が煩雑になる不具合がある。また、交換すべき硬貨収納体の在庫が無い場合には所期の収納通路変更がタイムリーに行えない不具合がある。
【０００６】
一方、先に述べた複数収納通路タイプの硬貨収納体は一度の操作で硬貨処理装置への着脱が行えるため、単一収納通路タイプの硬貨収納体のように所望の硬貨収納体を個別に取り付ける面倒がない利点がある。
【０００７】
しかし、複数収納通路タイプの硬貨収納体では、単一収納通路タイプの硬貨収納体のような収納通路単位での着脱が行えないため、収納通路変更の要求があった場合、例えば５００円硬貨，１００円硬貨，１００円硬貨，５０円硬貨，１０円硬貨用の５つの収納通路の組み合わせを有する硬貨収納体が既に取り付けられているときに１００円硬貨用収納通路を１０円硬貨用収納通路に変更する要求があった場合には硬貨収納体を５００円硬貨，１００円硬貨，５０円硬貨，１０円硬貨，１０円硬貨用の５つの収納通路の組み合わせを有する別の硬貨収納体に交換しなければならない不具合がある。
【０００８】
本発明は前記事情に鑑みて創作されたもので、その目的とするところは、単一収納通路タイプの硬貨収納体を使用する場合、また、複数収納通路タイプの硬貨収納体を使用する場合でも、硬貨収納体を別の硬貨収納体に交換することなく収納通路の変更をタイムリーに行うことができる硬貨収納体用スペーサ，硬貨収納体及び硬貨処理装置を提供することにある。
【課題を解決するための手段】
【０００９】
前記目的を達成するため、本発明に係る硬貨収納体用スペーサは、指定硬貨を積み重ねて収納可能な単一または複数の収納通路を有し硬貨処理装置への着脱を可能とした硬貨収納体の収納通路内に挿入して使用されるスペーサであって、該スペーサは硬貨収納体の収納通路内に挿入された状態で収納通路の内形を指定硬貨よりも径が小さな異種硬貨を積み重ねて収納可能な形状に変化し得る、ことをその特徴とする。
【００１０】
この硬貨収納体用スペーサによれば、硬貨収納体の収納通路内に挿入することによって、収納通路の内形を指定硬貨よりも径が小さな異種硬貨を積み重ねて収納可能な形状に変化させることができ、これにより硬貨収納体を別の硬貨収納体に交換することなく収納通路の変更をタイムリーに行うことができる。
【００１１】
また、本発明に係る硬貨収納体は、指定硬貨を積み重ねて収納可能な単一または複数の収納通路を有し硬貨処理装置への着脱を可能とした硬貨収納体であって、該硬貨収納体の収納通路は収納通路の内形を指定硬貨よりも径が小さな異種硬貨を積み重ねて収納可能な形状に変化し得るスペーサの挿入を許容し、且つ、収納通路内に挿入されたスペーサに設けられた係合部に着脱自在な被係合部を収納通路内壁に備える、ことをその特徴とする。
【００１２】
この硬貨収納体によれば、収納通路内にスペーサを挿入し取り付けることによって、収納通路の内形を指定硬貨よりも径が小さな異種硬貨を積み重ねて収納可能な形状に変化させることができ、これにより硬貨収納体を別の硬貨収納体に交換することなく収納通路の変更をタイムリーに行うことができる。
【００１３】
さらに、本発明に係る硬貨処理装置は、指定硬貨を積み重ねて収納可能な単一または複数の収納通路を有する硬貨収納体を着脱自在に備えた硬貨処理装置であって、前記硬貨収納体の収納通路は収納通路の内形を指定硬貨よりも径が小さな異種硬貨を積み重ねて収納可能な形状に変化し得るスペーサの挿入を許容し、且つ、収納通路内に挿入されたスペーサに設けられた係合部に着脱自在な被係合部を収納通路内壁に備える、ことをその特徴とする。
【００１４】
この硬貨処理装置によれば、硬貨収納体の収納通路内にスペーサを挿入し取り付けることによって、収納通路の内形を指定硬貨よりも径が小さな異種硬貨を積み重ねて収納可能な形状に変化させることができ、これにより硬貨収納体を別の硬貨収納体に交換することなく収納通路の変更をタイムリーに行うことができる。
【発明の効果】
【００１５】
本発明によれば、単一収納通路タイプの硬貨収納体を使用する場合、また、複数収納通路タイプの硬貨収納体を使用する場合でも、硬貨収納体を別の硬貨収納体に交換することなく収納通路の変更をタイムリーに行うことができる硬貨収納体用スペーサ，硬貨収納体及び硬貨処理装置を提供することができる。
【００１６】
本発明の前記目的とそれ以外の目的と、構成特徴と、作用効果は、以下の説明と添付図面によって明らかとなる。
【発明を実施するための最良の形態】
【００１７】
図１〜図５は、硬貨収納手段として複数収納通路タイプの硬貨収納体を着脱自在に備える硬貨処理装置に本発明を適用した実施形態を示す。
【００１８】
図１（Ａ）は硬貨処理装置の正面図、図１（Ｂ）は硬貨収納体を取り外した硬貨処理装置の正面図、図２（Ａ）は硬貨収納体の正面図、図２（Ｂ）は硬貨収納体の上面図、図２（Ｃ）は硬貨収納体に４種類の硬貨を収納した状態を示す上面図、図３は硬貨収納体及びスペーサの正面図、図４（Ａ）〜図４（Ｃ）はスペーサ取付手順の説明図、図５はスペーサを取り付けた状態を示す硬貨収納体の上面図である。
【００１９】
図１（Ａ）及び図１（Ｂ）に示した硬貨処理装置は、装置上部に設けられた硬貨識別部１０と、その下側に設けられた硬貨分配部２０と、その下側に着脱自在に設けられた硬貨収納体３０と、その下側に設けられた硬貨払出部４０とを有している。
【００２０】
硬貨識別部１０は、投入硬貨を受け入れるための入口１１と、受け入れた硬貨を所定方向に導く検出用通路（図示省略）と、硬貨が検出用通路を通過する過程でその正偽及び種類を磁界変化に基づき検出して識別するセンサ（図示省略）とを備える。この硬貨識別部１０は、検出用通路に詰まった硬貨を取り出すためのカバー１２を有し、このカバー１２は一端に設けられた軸を装置筐体に軸支され、且つ、コイルバネ１４によって閉方向に付勢されており常時は閉じている。また、カバー１２には、硬貨分配部２０による硬貨の分配方向を設定するためのディップスイッチ１５が各収納通路３１〜３５のそれぞれに対応して、或いは、所定の収納通路のみ、例えば５００円硬貨用収納通路３１に対応して設けられている。
【００２１】
硬貨分配部２０は、後述する複数の収納通路３１〜３５の上端開口に至る複数の分配通路及び返却通路（何れも図示省略）と、硬貨識別部１０からの硬貨を所定の分配通路に誘導するための複数の振り分け板（図示省略）と、各振り分け板を駆動するためのソレノイド（図示省略）とを備えている。
【００２２】
振り分け板駆動用の各ソレノイドは硬貨識別部１０のセンサの検出信号及びディップスイッチ１５の設定信号に基づき硬貨処理装置制御用コントローラから送出される分配信号によって作動する。つまり、硬貨分配部２０は、硬貨識別部１０が受け入れた硬貨が正貨であるときに当該硬貨が所定の収納通路３１〜３５に収納されるように複数の振り分け板を適宜作動させて分配通路の切り換えを行う。また、硬貨識別部１０が受け入れた硬貨が偽貨であるときにこれを返却通路に導くように振り分け板を作動させる。
【００２３】
硬貨収納体３０は、透明または半透明プラスチックから一体に形成されており、図２（Ａ）〜図２（Ｃ）に示すように、上端を開口した横断面円形の複数の収納通路、具体的には５００円硬貨を積み重ねて収納可能な収納通路３１と、５０円硬貨を積み重ねて収納可能な収納通路３２と、１０円硬貨を積み重ねて収納可能な収納通路３３と、１００円硬貨を積み重ねて収納可能な２つの収納通路３４，３５を一列に並んだ状態で有している。また、各収納通路３１〜３５の下端一側には、後述する払出板の挿入と払出板による最下位の硬貨の抜き出しを可能とした窓穴（図示省略）が設けられている。
【００２４】
この硬貨収納体３０は硬貨分配部２０の下側に設けられた空洞に嵌め込むことで硬貨処理装置への取り付けを可能としており、硬貨収納体３０の正面側に設けられた掛合レバー（図示省略）を装置筐体に掛合させることで脱落が防止されている。硬貨処理装置からこの硬貨収納体３０を取り外すときには掛合レバーを操作し装置筐体との掛合を解除してから手前に抜き出せばよい。つまり、この硬貨収納体３０は硬貨処理装置に一度で取り付けることができ、取り外しも一度で行わうことができる。
【００２５】
硬貨払出部４０は、各収納通路３１〜３５の窓穴に挿入可能な５つの払出板４１〜４５と、各払出板４１〜４５を進退駆動するためのソレノイド（図示省略）とを備えている。
【００２６】
払出板駆動用の各ソレノイドは硬貨処理装置制御用コントローラから送出される払出信号に基づいて作動する。つまり、硬貨払出部４０は、釣銭発生時に釣銭に対応した硬貨が返却口に送出されるように５つの払出板４１〜４５を適宜進退させて硬貨の払い出しを行う。
【００２７】
前記硬貨収納体３０の５００円硬貨用収納通路３１には、図２（Ａ）〜図２（Ｃ）及び図３に示すように、後述するスペーサＳ１を着脱自在に装着するための２つの被係合部、具体的には矩形状長穴３１ａが上下方向に間隔をおいて設けられている。
【００２８】
図示したスペーサＳ１は５００円硬貨用収納通路３１を５００円硬貨よりも径が小さな１００円硬貨を積み重ねて収納可能な形状に変化させるためのものである。このスペーサＳ１は透明または半透明プラスチックから形成されており、図３及び図４（Ａ）〜図４（Ｃ）に示すように、５００円硬貨用収納通路３１の内面に沿う外面曲率を備えた断面Ｃ形を成していて、その上下方向寸法は５００円硬貨用収納通路３１の上下方向寸法とほぼ一致している。また、スペーサＳ１の内面曲率は１００円硬貨の径よりも大きく、上から見たときの外面の左端から右端までの角度は１８０度よりも小さい。さらに、スペーサＳ１の外面には矩形状長穴３１ａに対応した２つの係合部、具体的にはＬ字形フックＳ１ａが上下方向に間隔をおいて設けられており、このＬ字形フックＳ１ａの上下方向寸法と左右方向寸法は矩形状長穴３１ａの上下方向寸法と左右方向寸法よりも僅かに小さく、また、Ｌ字形フックＳ１ａの端部内側に設けられた半球状凸部Ｓ１ｂとスペーサＳ１の外面との間隔は５００円硬貨用収納通路３１の外壁の厚さよりも僅かに小さい。
【００２９】
このスペーサＳ１を用いて収納体３０の５００円硬貨用収納通路３１を１００円硬貨を収納可能な形状に変化させるときには、硬貨処理装置から収納体３０を取り外した後、図４（Ａ）〜図４（Ｃ）に示すように、スペーサＳ１を５００円硬貨用収納通路３１の上端開口から下向きに挿入し、そして、２つのＬ字形フックＳ１ａを矩形状長穴３１ａに内側から差し込んで外方に突出させ、そして、スペーサＳ１を下方に押し込んでＬ字形フックＳ１ａの半球状凸部Ｓ１ｂとスペーサＳ１の外面との間で５００円硬貨用収納通路３１の外壁を挟持させ、そして、スペーサ取付後の収納体３０を硬貨処理装置に取り付ければよい。
【００３０】
スペーサＳ１の内面曲率が１００円硬貨の径よりも大きく、且つ、上から見たときの外面の左端から右端までの角度は１８０度よりも小さいため、スペーサ挿入後の収納通路３１の横断面形は円形にはならず図５に示すような楕円形に近い形となるが、スペーサＳ１の内面とこれと向き合う５００円硬貨用収納通路３１の内面との間隔が１００円硬貨の径よりも僅かに大きくなっているので前記のような形状の横断面形であっても１００円硬貨を積み重ねて収納することに何ら支障はない。
【００３１】
スペーサ取付後の収納体３０を硬貨処理装置に取り付けた後に、５００円硬貨用収納通路３１を１００円硬貨用収納通路として使用するには、５００円硬貨用収納通路３１が１００円硬貨用収納通路として識別されるように硬貨識別部１０のディップスイッチ１５を操作して通路設定の変更を行う。この通路設定の変更により当初は５００円硬貨用であった収納通路３１が１００円硬貨用として識別され、結果的に収納体３０は５０円硬貨用収納通路３２と１０円硬貨用収納通路３３と３つの１００円硬貨用収納通路３１，３４，３５を有するものとして利用されることになる。
【００３２】
収納通路３１を１００円硬貨用から５００円硬貨用の収納通路に戻すときには、硬貨処理装置から収納体３０を取り外した後、前記とは逆の手順でスペーサＳ１を取り外し、スペーサ取り外し後の収納体３０を硬貨処理装置に取り付けると共に、ディップスイッチ１５を操作して通路設定を元の状態に戻せばよい。
【００３３】
先の説明では、スペーサ挿入後の収納通路３１の横断面形が楕円形に近い形となるものをスペーサＳ１として示したが、図６（Ａ）及び図６（Ｂ）に示すようなスペーサＳ２を用いれば、スペーサ挿入後の収納通路３１の横断面形を１００円硬貨の径よりも僅かに大きな円形とすることもできる。
【００３４】
図６（Ａ）及び図６（Ｂ）に示したスペーサＳ２は透明または半透明プラスチックから形成されており、５００円硬貨用収納通路３１の内面に沿う外面曲率を備えた断面Ｃ形を成していて、その上下方向寸法は５００収納通路３１の上下方向寸法とほぼ一致している。また、スペーサＳ２の内面曲率は１００円硬貨の径に近似していて、上から見たときの外面の左端から右端までの角度は１８０度を越えている。Ｌ字形フックＳ２ａはスペーサＳ１のものと同じである。
【００３５】
このスペーサＳ２を用いて収納体３０の５００円硬貨用収納通路３１を１００円硬貨を収納可能な形状に変化させるときには、硬貨処理装置から収納体３０を取り外した後、スペーサＳ２の両端部分を内側に撓ませてから５００円硬貨用収納通路３１の上端開口から下向きに挿入し、そして、２つのＬ字形フックＳ２ａを矩形状長穴３１ａに内側から差し込んで外方に突出させ、そして、スペーサＳ２を下方に押し込んでＬ字形フックＳ２ａの半球状凸部とスペーサＳ２の外面との間で５００円硬貨用収納通路３１の外壁を挟持させ、スペーサ取付後の収納体３０を硬貨処理装置に取り付ければよい。ちなみに、挿入時に内側に撓ませた両端部分は自らの弾性によって復元するので、挿入後のスペーサＳ２の外面は５００円硬貨用収納通路３１の内面に沿う。
【００３６】
スペーサＳ２の内面曲率が１００円硬貨の径に近似し、且つ、上から見たときの外面の左端から右端までの角度は１８０度を越えており、スペーサ挿入後の収納通路３１の横断面形は図６（Ｂ）に示すような円形となるので、１００円硬貨をこの横断面円形の通路に積み重ねて収納することができる。
【００３７】
また、先の説明では、スペーサＳ１，Ｓ２として横断面Ｃ形のものを示したが、図７（Ａ）及び図７（Ｂ）に示すような円筒形のスペーサＳ３を用いることもできる。
【００３８】
図７（Ａ）及び図７（Ｂ）に示したスペーサＳ３は透明または半透明プラスチックから円筒形に形成されており、その外径は５００円硬貨用収納通路３１の内径よりも僅かに小さく、その内径は１００円硬貨の外径よりも僅かに大きく、その上下方向寸法は５００収納通路３１の上下方向寸法とほぼ一致している。このスペーサＳ３にはスペーサＳ１，Ｓ２のようなＬ字形フックは無いので、５００円硬貨用収納通路３１から矩形状長穴３１ａを排除しても構わない。
【００３９】
このスペーサＳ３を用いて収納体３０の５００円硬貨用収納通路３１を１００円硬貨を収納可能な形状に変化させるときには、硬貨処理装置から収納体３０を取り外した後、スペーサＳ３を５００円硬貨用収納通路３１の上端開口から下向きに挿入して取り付け、そして、スペーサ取付後の収納体３０を硬貨処理装置に取り付ければよい。
【００４０】
スペーサＳ３の内径が１００円硬貨の径に整合し、スペーサ挿入後の収納通路３１の横断面形は図７（Ｂ）に示すような円形となるので、１００円硬貨をこの横断面円形の通路に積み重ねて収納することができる。
【００４１】
さらに、先の説明では、硬貨収納手段として複数収納通路タイプの硬貨収納体３０を着脱自在に備えた硬貨処理装置に本発明を適用したものを例示したが、本発明は硬貨収納手段として単一収納通路タイプの複数の硬貨収納体を着脱自在に備えた硬貨処理装置にも適用できる。
【００４２】
図８（Ａ）及び図８（Ｂ）はその一例を示すもので、図中の５１は硬貨処理装置に設けられたホルダー、６１は５００円硬貨用硬貨収納体、６２は５０円硬貨用硬貨収納体、６３は１０円硬貨用硬貨収納体、６４は１００円硬貨用硬貨収納体である。
【００４３】
各硬貨収納体６１〜６４は上端を開口した横断面円形の単一の収納通路をそれぞれ有しており、各収納通路には各々の内径に対応した硬貨を積み重ねて収納することができる。また、各硬貨収納体６１〜６４の下端一側には、硬貨払出部の払出板の挿入と払出板による最下位の硬貨の抜き出しを可能とした窓穴（図示省略）がそれぞれ設けられている。また、各硬貨収納体６１〜６４は同一の外径を有していて、ホルダー５１には各硬貨収納体６１〜６４を着脱自在に取り付けることができる装着部５１ａが４個設けられている。
【００４４】
前記５００円硬貨用硬貨収納体６１には、前記スペーサＳ１を着脱自在に装着するための２つの被係合部、具体的には前記長穴３１ａと同様の矩形状長穴６１ａが上下方向に間隔をおいて設けられている。
【００４５】
スペーサＳ１を用いて５００円硬貨用硬貨収納体６１の収納通路を１００円硬貨を収納可能な形状に変化させるときには、硬貨処理装置から５００円硬貨用硬貨収納体６１を取り外した後、スペーサＳ１を５００円硬貨用硬貨収納体６１の収納通路の上端開口から下向きに挿入し、そして、２つのＬ字形フックＳ１ａを矩形状長穴６１ａに内側から差し込んで外方に突出させ、そして、スペーサＳ１を下方に押し込んでＬ字形フックＳ１ａの半球状凸部とスペーサＳ１の外面との間で５００円硬貨用硬貨収納体６１の収納通路の外壁を挟持させ、そして、スペーサ取付後の硬貨収納体６１収納体３０を硬貨処理装置に取り付ければよい。勿論、スペーサＳ１の代わりに前記スペーサＳ２または前記スペーサＳ３を使用することもできる。
【００４６】
この場合も、スペーサ取付後の５００円硬貨用硬貨収納体６１を硬貨処理装置に取り付けた後に、５００円硬貨用硬貨収納体６１の収納通路を１００円硬貨用の収納通路として使用するには、５００円硬貨用硬貨収納体６１が１００円硬貨用硬貨収納体として識別されるように硬貨識別部１０のディップスイッチ１５を操作して通路設定の変更を行う。
【００４７】
さらに、先の説明では、複数収納通路タイプの硬貨収納体にあっては５００円硬貨用収納通路３１を１００円硬貨用の収納通路として用いる場合を例示し、単一収納通路タイプの硬貨収納体にあっては５００円硬貨用硬貨収納体６１を１００硬貨用硬貨収納体として用いる場合を例示したが、スペーサＳ１〜Ｓ３の肉厚等を変えることによって５００円硬貨用の収納通路を５０円硬貨または１０円硬貨用の収納通路に変更したり、１０円硬貨用の収納通路を５０円硬貨または１００円硬貨用の収納通路に変更したり、１００円硬貨用の収納通路を５０円硬貨用の収納通路として変更すること、要するに、指定硬貨を収納可能な収納通路をこれにより径が小さな異種硬貨用の収納通路として適宜変更することができる。
【００４８】
以上説明したように、単一収納通路タイプの硬貨収納体を使用する場合、また、複数収納通路タイプの硬貨収納体を使用する場合でも、硬貨収納体を別の硬貨収納体に交換することなく収納通路の変更をタイムリーに行うことができる硬貨収納体用スペーサ，硬貨収納体及び硬貨処理装置を提供することができる。
【００４９】
とりわけ、複数収納通路タイプの硬貨収納体を使用する場合にあっては、別の硬貨収納体を用意しなくともスペーサのみで収納通路変更が行え、しかも、一度の操作で硬貨処理装置への着脱が行えるため、単一収納通路タイプの硬貨収納体を使用する場合に比べてコスト面及び作業面で有利である。
【図面の簡単な説明】
【００５０】
【図１】複数収納通路タイプの硬貨収納体を着脱自在に備える硬貨処理装置に本発明を適用した実施形態を示す硬貨処理装置の正面図と、硬貨収納体を取り外した硬貨処理装置の正面図である。
【図２】硬貨収納体の正面図と、硬貨収納体の上面図と、硬貨収納体に４種類の硬貨を収納した状態を示す上面図である。
【図３】硬貨収納体及びスペーサの正面図である。
【図４】スペーサの取付手順の説明図である。
【図５】スペーサを取り付けた状態を示す硬貨収納体の上面図である。
【図６】スペーサの他の形状例を示すスペーサの上面図と、スペーサを取り付けた状態を示す硬貨収納体の上面図である。
【図７】スペーサのさらに他の形状例を示すスペーサの上面図と、スペーサを取り付けた状態を示す硬貨収納体の上面図である。
【図８】複数収納通路タイプの硬貨収納体を着脱自在に備える硬貨処理装置に本発明を適用した実施形態を示す硬貨処理装置の要部断面図と、スペーサを取り付けた状態を示す硬貨収納体の上面図である。
【符号の説明】
【００５１】
１０…硬貨識別部、１５…ディップスイッチ、２０…硬貨分配部、３０…複数収納通路タイプの硬貨収納体、３１〜３５…収納通路、３１ａ…矩形状長穴、４０…硬貨払出部、Ｓ１…スペーサ、Ｓ１ａ…Ｌ字形フック、Ｓ２…スペーサ、Ｓ２ａ…Ｌ字形フック、Ｓ３…スペーサ、５１…ホルダー、５１ａ…装着部、６１〜６４…単一収納通路タイプの硬貨収納体、６１ａ…矩形状長穴。
【図１】
2005202871.tif 000003
【図２】
2005202871.tif 000004
【図３】
2005202871.tif 000005
【図４】
2005202871.tif 000006
【図５】
2005202871.tif 000007
【図６】
2005202871.tif 000008
【図７】
2005202871.tif 000009
【図８】
2005202871.tif 000010